(57)【要約】【課題】  非常時や屋外訓練時などに携行するにも各機能部が一つにまとまったコンパクトなものとされて携行しやすくしかも浄水作業が簡単容易に行えるようにした浄水器を提供すること。【解決手段】  一方側に給水室がまた他方側に貯水室が形成されるように内部が濾過機能材によって仕切られる浄水器本体を備え、この浄水器本体は、未濾過水を給水室内に供給可能な給水手段と、給水室内に入れられる未濾過水に圧力を付与して未濾過水を濾過機能材を通じて貯水室へと導くようにする圧力付与手段と、貯水室に導かれた濾過済水を貯水室外において利用可能とするための浄水導出手段とを備えている。【選択図】図３
2015100792.tif 000002
【特許請求の範囲】
【請求項１】
一方側に給水室がまた他方側に貯水室が形成されるように内部が濾過機能材によって仕切られる浄水器本体を備え、この浄水器本体は、未濾過水を給水室内に供給可能な給水手段と、給水室内に入れられる未濾過水に圧力を付与して未濾過水を濾過機能材を通じて貯水室へと導くようにする圧力付与手段と、貯水室に導かれた濾過済水を貯水室外において利用可能とするための浄水導出手段とを備えている浄水器。
【請求項２】
請求項１に記載のものにおいて、圧力付与手段は、給水室内の未濾過水に圧力を付与する方向に変位可能に設けられた加圧用変位部材と、加圧用変位部材に変位を付与する手動操作手段を含む駆動手段とを有する浄水器。
【請求項３】
請求項１または２に記載のものにおいて、浄水器本体は、濾過機能材による仕切り位置において分割・合体可能に構成されている浄水器。
【発明の詳細な説明】
【技術分野】
【０００１】  この発明は、震災や洪水のような非常時、屋外訓練出向時あるいは行楽時などに携行型として利用される浄水器に関する。
【背景技術】
【０００２】  例えば、東日本大震災発生時においては、水道ラインも断たれた結果非常に困った事態と相成った。こうした断水事態を想定して近くの河川や湖沼などにある水を汲んでそこから浄水を得ることのできる機器類も各種開発されている。ところが、こうした浄水器はエンジンやモーターなどの動力源を別途必要とするものであるため、震災時には電力・燃料の断切により使うことができないこともあり、結局のところ、人力により浄水化することのできる携行可能な簡単な浄水器が利用価値が高いということで各種の人力方式の浄水器が開発されてきた。特許文献１はそうした従来型浄水器の一例である。
【先行技術文献】
【特許文献】
【０００３】
【特許文献１】特開平１０−１２８３０８
【発明の概要】
【発明が解決しようとする課題】
【０００４】  上記特許文献１による浄水器は、手押しポンプ式で携帯型の逆浸透膜フィルターセットについてのもので、手押しレバー１により蓄圧可能な園芸用農薬噴霧器であるタンク２と、このタンク２に接続された導水ホース１１とを有し、導水ホース１１には、セディメントフィルター４・活性炭フィルター５・逆浸透膜フィルター６の順にフィルターがつながれるとともに、逆浸透膜フィルター６からは、浄化水出口８となるホースと廃棄水出口１０となるホースが付けられている。廃棄水出口１０の先には、ボールバルブ９を付けるとともに、フィルター４，５，６のフィルター群に手提げベルト７を付けて構成されている。
この浄水器は、手押しレバー１により蓄圧しながら内部の水をフィルター４，５，６に通してきれいな水を水道圧や電動ポンプの全くないところでも逆浸透膜浄水器を使えるようにしたり、持ち運べるようにしたり、フィルター部分を他の浄水システムに付け替えることを可能することによって、逆浸透膜浄水器の使用における便利性を高めるようにし、特に非常時における水不足に対応することを目的としたものである。
しかし、この浄水器は、手押しレバー１付きのタンク２とフィルター４，５，６が分離別体方式でありしかも浄化された水を入れておくタンクも別体方式になっているため、例えば非常時において河川とか湖沼などの目的地との間でこのセットを持ち運びするにも大変な苦労となりまた水のある目的地において使用するにも別体構造であると非常に使いずらく浄水を得るまでに多くの手間や苦労が必要になるなどの欠点がある。【０００５】  この発明は、上記問題を解決しようとするものであり、非常時や屋外訓練時などに携行するにも各機能部が一つにまとまったコンパクトなものとされて携行しやすくしかも浄水作業が簡単容易に行えるようにした浄水器を提供することを目的とする。
【課題を解決するための手段】
【０００６】  上記目的を達成するため、請求項１に記載の発明は、一方側に給水室がまた他方側に貯水室が形成されるように内部が濾過機能材によって仕切られる浄水器本体を備え、この浄水器本体は、未濾過水を給水室内に供給可能な給水手段と、給水室内に入れられる未濾過水に圧力を付与して未濾過水を濾過機能材を通じて貯水室へと導くようにする圧力付与手段と、貯水室に導かれた濾過済水を貯水室外において利用可能とするための浄水導出手段とを備えている。
請求項２に記載の発明は、請求項１に記載のものにおいて、圧力付与手段は、給水室内の未濾過水に圧力を付与する方向に変位可能に設けられた加圧用変位部材と、加圧用変位部材に変位を付与する手動操作手段を含む駆動手段とを有する。
請求項３に記載の発明は、請求項１または２に記載のものにおいて、浄水器本体は、濾過機能材による仕切り位置において分割・合体可能に構成されている。
【発明の効果】
【０００７】  上述したように請求項１に記載の発明は、一方側に給水室がまた他方側に貯水室が形成されるように内部が濾過機能材によって仕切られる浄水器本体を備え、この浄水器本体は、未濾過水を給水室内に供給可能な給水手段と、給水室内に入れられる未濾過水に圧力を付与して未濾過水を濾過機能材を通じて貯水室へと導くようにする圧力付与手段と、貯水室に導かれた濾過済水を貯水室外において利用可能とするための浄水導出手段とを備えているので、非常時や屋外訓練時などに携行するにも各機能部が一つにまとまったコンパクトなものとされて携行しやすくしかも浄水作業が簡単容易に行えるようにした浄水器を提供することができるようになる。
請求項２に記載の発明は、請求項１に記載のものにおいて、圧力付与手段は、給水室内の未濾過水に圧力を付与する方向に変位可能に設けられた加圧用変位部材と、加圧用変位部材に変位を付与する手動操作手段を含む駆動手段とを有するので、未濾過水への圧力付与が容易かつ確実に得られ、携行先で濾過済水を簡単に得ることができる浄水器を提供することができるようになる。
請求項３に記載の発明は、請求項１または２に記載のものにおいて、浄水器本体は、濾過機能材による仕切り位置において分割・合体可能に構成されているので、分解により内部清掃や部品の交換などのメンテナンスが簡単かつ徹底して行えることになりより高度の衛生状態を確保することができる浄水器を提供することができるようになる。
【図面の簡単な説明】
【０００８】
【図１】  この発明の一実施形態である浄水器を示す図２のＩ−Ｉ線に対応する模式横断面図。
【図２】  図１のＸ方向からみた浄水器の正面図。
【図３】  図２のＩＩＩ−ＩＩＩ線模式断面図。
【図４】  浄水器の分解状態を示す模式断面図。
【図５】  他の実施形態を示す模式断面図。
【図６】  他の実施形態を示す模式断面図。
【図７】  図６の浄水器の作用説明用模式断面図。
【図８】  図６の浄水器の作用説明用模式断面図。
【図９】  他の実施形態である図１０の浄水器の平面図。
【図１０】  図９のＸ−Ｘ線模式断面図。
【図１１】  他の実施形態を示す模式縦断面図。
【図１２】  他の実施形態の作用を示す模式断面図。
【図１３】  図１２に関連して該浄水器の作用を示す模式断面図。
【図１４】  他の実施形態を示す模式断面図。
【図１５】  他の実施形態を示す模式断面図。
【図１６】  他の実施形態を示す模式断面図。
【発明を実施するための形態】
【０００９】  図１ないし図４は本発明の浄水器の一実施形態を示し、この浄水器は、例えば、山川や湖沼など過酷な地帯・地域を歩いて訓練する隊員が肩に掛けたりあるいは背嚢内に入れて携行するのに軽量コンパクトな容器でありまた山や川の水を未濾過水として利用しそれらを簡単に浄水化できるようにするために利用することを目的としたものになっている。
この実施形態において１は浄水器本体で、この浄水器本体１は、樹脂や軽金属などにより固形型に造られた容器で、最中のように分解・合体可能な合わせ型になっている。浄水器本体１は、正面からみると縦辺が横辺よりも少し長目の矩形状でＡ５〜Ａ４程度のコンパクトサイズなものでその厚さは５〜８ｃｍ前後の薄手のものになっている。
【００１０】  浄水器本体１は、前ケース２と後ケース３とからなっており、前ケース２は、上下部分が傾斜面状をなす矩形受皿状の主部の周りに前外周フランジ４と前内周フランジ５とを備えている。前外周フランジ４にはゴムのような弾性質の前パッキン６がリング状をなすものとして一体に接着して設けられているとともに、前ケース２の上部の傾斜部分には、給水口部７とキャップ８でなる給水手段９が設けられてその内部の給水室１０内に連通するようになっている。
【００１１】  また給水室１０内には、ケース内面に対面するように平坦に潰れた状態と蛇腹部を介して受皿状に膨張拡大した状態とに往復変形動作をし得るゴムや樹脂製の加圧用変位部材１１が圧力付与手段の一部として外縁一体貼着状に設けられている。同じく前ケース２の傾斜部分にはホルダー１３が突設されており、このホルダー１３には、交互に開閉運動する第１チェックバルブ１４と第２チェックバルブ１５を備えた手動（人力）ポンプ１６が脱着可能に取り付けられている。
【００１２】  手動ポンプ１６は、加圧用変位部材１１に変位を付与するための駆動手段であり、それを握るのを解放すると閉じる第２チェックバルブ１５とそれと同時に開いて外気をポンプ内に取り入れる第１チェックバルブ１４とを有し、取り入れられたポンプ内のエアーはポンプ１６を握ることで第１チェックバルブ１４は閉じ第２チェックバルブ１５は開くことにより圧エアーとなってエアーチューブ１７からジョイント１８を通じて加圧用変位部材１１内に送り込まれるようになっている。手動ポンプ１６、エアーチューブ１７、ジョイント１８など一連の構成は駆動手段１９を構成する。
【００１３】  後ケース３は、上下部分が傾斜面状をなす矩形の受皿状の主部の周りに後外周フランジ２１と後内周フランジ２２とを備えたものになっている。後外周フランジ２１にはゴムのような弾性質の後パッキン２３が一体に接着して設けられているとともに、後ケース３の上部の傾斜部分には、導出口部２５とキャップ（チェーン付き）２６でなる浄水導出手段２７が設けられてその内部の貯水室２８内に連通するようになっている。
【００１４】  また後ケース３の貯水室２８内には、ケース内面に対面するように平坦に潰れたり受皿状に膨張拡大したり往復変形動作をし得るゴムや樹脂製の加圧用変位部材１１が一体貼着状に設けられている。同じく後ケース３の面内には、ジョイント１８が取り付けられ、前記手動ポンプ１６付きのエアーチューブ１７が接続可能とされてポンプ１６の操作により加圧用変位部材１１内に圧エアーを送り込むことができるようになっている。
【００１５】  尚、前・後ケース２，３の面には、加圧用変位部材１１内に溜まるエアーを抜くためのエアー抜き弁２９が設けられているとともに、前・後外周フランジ４，２１は、前・後パッキン６，２３を介して合わせられてアイボルト・ナット組具のような工具なしで手回し式の締付具３０により密閉化されまた分解も可能になっている。パッキン６，２３はいずれか一方のみでもよい。
【００１６】  そして、前・後内周フランジ５，２２の相対向する間を利用して面状体とした活性炭フィルター３２・限外濾過膜フィルター３３の組み合わせよりなる濾過機能材３４が挟み込まれて前後を仕切るようにセットされるようになっている。濾過機能材３４が浄水器本体１内を仕切ることにより浄水器本体１内の一方側が給水室１０にまた他方側が貯水室２８となるように構成されている。尚、図２および図３に示すように、浄水器本体１の底部には、浄水器をテーブル上などに立てておく場合の自立用の突片３５が設けられている。また、図２に示すように、浄水器本体１には携行に便利なように肩掛けバンド３６を脱着可能に取り付け得るようにしてもよい。
【００１７】  こうした浄水器は樹脂などによる固形体ではあるがＡ５サイズあるいはＡ４サイズ程度の非常にコンパクトなサイズでしかも薄手弁当箱程度のケース体（浄水器本体１）とされているので、各隊員訓練やハイキング、非常時などにおいては背嚢（あるいはリュックサック）などの収納袋に納まりやすく携行も容易である。目的地での未濾過水はキャップ８を取り給水口部７を通じて給水室１０内に入れられる。その際、エアー抜き弁２９の開放と閉止とにより加圧用変位部材１１は図３の実線のように縮んで後退した状態にあり、その後、ホルダー１３から手動ポンプ１６を外して握り操作を繰り返すことで外気が送り込まれて仮想線のように拡張操作される。これにより、給水室１０内の未濾過水は濾過機能材３４で濾過されながら通過し貯水室２８内へと濾過済水として導かれる。この濾過済水は、キャップ２６を外すことで導出口部２５を通じて呑むことができる。
【００１８】  こうした濾過を繰り返していると濾過機能材３４に目詰まりや付着現象が発生することがあるが、その場合、貯水室２８にきれいな水を入れておき外したエアーチューブ１７を後側のジョイント１８に差し込み手動ポンプ１６を操作することで後側の加圧用変位部材１１が膨らんで濾過機能材３４を逆洗浄してきれいな状態にすることができる。濾過機能材３４は、図４に示すように、定期的に前・後ケース２，３を分解することにより取り外して浄化処理したりあるいは濾過機能材３４の清掃・交換（図４の矢印表示）も行うことができる。濾過機能材３４は、前・後内周フランジ５，２２間に挟むようにして前・後ケース２，３間に再セットすることができるとともに、前・後ケース２，３は前・後パッキン６，２３の圧着により水密状態を得ることができるようになっている。
【００１９】  尚、前記後ケース３側の加圧用変位部材１１は、以下の実施形態でも同様のことであるが逆洗浄の必要がないタイプの場合は設けないことがある。また、前ケース２・後ケース３のいずれか一方あるいは双方は、以下の実施形態でも同様のことであるがその一部あるいは全体を透明樹脂製にして内部の汚濁状況や逆洗浄状況などを外部から透視して把握できるようにすることができる。
【００２０】  前・後内周フランジ５，２２は、図３の右欄図のように、前後に分解できる形で内方へ伸ばしてその中央のやや狭くした開口に濾過機能材３４をセットできるようにすることもある。
【００２１】  また、同じく右欄図に示すように、加圧用変位部材１１は風船型にしてもよい。
図３の左欄図に示すように、駆動手段１９は、給気孔３８付きで弾性伸縮可能な押さえパッド式の手動ポンプ３９と逆止弁４０との組み合わせによりなるものにしてもよい。
駆動手段の他のタイプとして、図３の左欄に仮想線で示すように、バッテリ源でダイヤフラム駆動式でリリーフ弁付きの駆動手段Ｂを装備してもよい。
【００２２】  さらに、図５に示すように、後ケース３を前ケース２のような固形ケース型でなく薄膜樹脂や合成ゴム製などにより蛇腹式や弾性拡縮式などで拡縮変形自在なタイプにしてそれに浄水導出手段２７を付けてその内部に濾過済水が溜まりながら大きく膨らむ一方浄水導出手段２７を通じての水の利用により実線のように元の窄まった形に戻るように構成してもよい。このようにすれば、後ケース３が押潰状態になって浄水器本体１全体が１／２前後の非常に薄くコンパクトなものとなり携行するにも非常に楽になる。
駆動手段の他のタイプとして、図５に仮想線で示すように、バッテリ源でダイヤフラム駆動式の駆動手段Ｂを装備してもよい。駆動手段Ｂは単独でも駆動手段１９と併設タイプとしてもよく、併設しておくとバッテリ不足やバッテリの装備ミスなどがあっても手動でエアー供給ができる。この点は他の実施形態でも同様にいえる。
【００２３】  また、図６に示す他の実施形態のように、後ケース３のみを拡縮変形自在なタイプにするのでなく前ケース２までも薄手の軟質樹脂膜などにより拡縮変形自在なタイプに形成して両者２，３を分解および合体自在な合わせ型とすることもできる。４，２１は前・後外周フランジ、５，２２は前・後内周フランジ、６，２３は前・後パッキンをそれぞれ示し、また１０は給水室、２８は貯水室を示している。前ケース２内には加圧用変位部材１１が組み付けられ、外部には駆動手段１９やワンタッチ開閉式のエアー抜き弁２９などを装備する。
図６は携行時の空浄水器の様子を示し、前・後ケース２，３は共に扁平な押潰状態になっている。浄水器はこのように非常に薄手なものとして携行できるので、例えば、２枚や３枚まとめて携行しても嵩張らずしかも軽い。
駆動手段の他のタイプとして、図６に仮想線で示すように、バッテリ源でダイヤフラム駆動式の駆動手段Ｂを装備してもよい。
図７は給水手段９から給水室１０に未濾過水が入れられたあと給水手段９が塞がれた状態を示す。そのあと、図８の手動ポンプ１６が取り外されてポンピング操作を繰り返すことにより加圧用変位部材１１が大きく膨らんで給水室１０内の未濾過水が濾過機能材３４を通じて濾過されて貯水室２８内へと送り込まれ濾過済水が得られるようになっている。得られた濾過済水は浄水導出手段２７を開けることで飲むなどに利用される。
【００２４】  図９および図１０は他の実施形態を示すもので、固形型で扁平状の浄水器本体１の扁平面に直交する形で濾過機能材３４が横断状に設けられてその一方が前ケース２とされ他方が後ケース３とされたものである。その他は前記と同じ構成であるところは同じ符号を付して説明は省略する。
尚、加圧用変位部材１１は、前・後両ケース２，３内に設けられているが、前記実施形態のような弾性的に拡縮するものでなく前・後ケース２，３内でその長手方向に沿って進退してエアー空間を拡縮作動する進退板材４２で構成されている。この進退板材４２は、外周にパッキン４３を備えて水密を保ちながら進退するとともに、その作動は蛇腹状ピストン４４の伸縮によるものとされ、これらピストン４３と進退板材４２が加圧用変位部材１１を構成している。
前記加圧用変位部材１１は省略してより構造の簡素化を図るようにすることもある。駆動手段の他のタイプとして、図１０に仮想線で示すように、バッテリ源でダイヤフラム駆動式の駆動手段Ｂを装備してもよい。
【００２５】  図１１は他の実施形態を示している。この実施形態の浄水器本体４７は、矩形の開口４８を備えた上面と閉止状の底面および周４面を備えた固形ケース式のものであり、その開口４８の中央に対応する浄水器本体４７の底内面・前後内面の３面に亘るようにＵ字形の溝片５０を備え、内部を仕切る濾過機能材５１を開口４８を通じて入れてこの溝片５０に嵌め合わさるようにセットしたり抜脱することもできるようになっている。浄水器本体４７の上面には、開口４８を塞ぐための上蓋パッキン５２付きの蓋５３が止着具５４による締め付けにより水密状に取り付けられ、それと同時に蓋５３の底面に設けた底パッキン５５が濾過機能材５１を押さえ付けて濾過機能材５１の上側を水密状に遮断するようになっている。蓋５３を外すと底パッキン５５が濾過機能材５１から離なれるとともに濾過機能材５１を開口４８を通じて抜き出して清掃や交換などのメンテナンスを行うことができるようになっている。５６は給水手段、５７は浄水導出手段、５８はエアー発送手段である駆動手段、５９は加圧用変位部材である。尚、浄水器本体４７の底側には脱着可能な収納カバー６０が設けられていてその中に駆動手段５８を収納したり出して使うことができるようになっている。
駆動手段の他のタイプとして、図１１に仮想線で示すように、バッテリ源でダイヤフラム駆動式の駆動手段Ｂを装備してもよい。
【００２６】  図１２および図１３は他の実施形態を示す。この実施形態は、浄水器本体６３の前室である給水室１０に弾性変形により進退運動を繰り返す加圧用変位部材６４を設けてこの加圧用変位部材６４をロッド６５とハンドル６６による駆動手段６７により往復運動させるようにしたもので、例えば、図１２のようにハンドル６６を引けば加圧用変位部材６４が牽かれてバルブ（給水手段）６８が開くことでＰＥＴボトルなどの槽（給水手段）６９内からの未濾過水が給水室１０内に持ち込まれ、そのあと図１３のようにハンドル６６を押せば加圧用変位部材６４が突き出るとともにバルブ６８が閉じることで未濾過水が限外濾過膜である濾過機能材７０を通じて浄水導出手段７１から濾過済水が取り出されるようになっている。７２は貯水室である。
【００２７】  図１４は他の実施形態を示すもので、この浄水器も、例えば、山川や湖沼など過酷な地帯・地域を歩いて訓練する隊員が肩に掛けたりあるいは背嚢内に入れたりして携行するのに好適な軽量コンパクトな容器でありまた山や川の水を未濾過水として取り入れそれらを簡単な操作によって確実に浄水化できるようにするために利用することを目的としている。
この実施形態において７５は浄水器本体で、この浄水器本体７５は、樹脂や軽金属などにより固形型に造られた容器で、最中のように分解・合体可能な合わせ型になっている。浄水器本体７５は、正面からみると図２に示すと略同様に縦辺が横辺よりも少し長目の矩形状でＡ５〜Ａ４程度のコンパクトサイズなものでその厚さは５〜８ｃｍ前後の薄手のものになっている。
【００２８】  浄水器本体７５は、前ケース７６と後ケース７７とからなっており、前ケース７６は、矩形受皿状の主部の周りに前外周フランジ７８と前内周フランジ７９とを備えたものになっている。前外周フランジ７８にはゴムのような弾性質の前パッキン８０が矩形リング状をなすものとして一体に接着して設けられているとともに、前ケース７６の上部には、給水口部と開閉自在なキャップなる給水手段８２が設けられてその内部の給水室８３内に連通するようになっている。
【００２９】  また給水室８３内には、ケース内面に対面するように平坦に潰れた実線で示す状態と受皿状に膨張拡大した仮想線で示す状態とに往復変形動作をし得るゴムや樹脂製の加圧用変位部材８５が圧力付与手段の一部として外縁一体貼着状に設けられている。加圧用変位部材８５の中央には、ドーナツ形でその内周にメスネジを有する作動盤８６が取り付けられており、この作動盤８６はその中央に通されたオスネジ体であるねじ軸８７の往復操作により進退可能とされている。
ねじ軸８７は、前ケース７６の中央の穴に嵌め込まれて右回りであるＲ方向とその逆方向である左方向に戻し回転可能な回転操作ハンドル８８に連結されて連動回転するようになっている。回転操作ハンドル８８は、内フランジ８９を前ケース７６の裏面に添わせるようにして回転させることでハンドル８８の抜けを防止するようになっている。９０はハンドル８８と内フランジ８９とを連結する止着具である。
回転操作ハンドル８８・ねじ軸８７は、加圧用変位部材８５に変位を付与するための駆動手段９１で、ねじ方式であることから水密状態を保ちながら大きな力を発生させることができる。
【００３０】  後ケース７７は、上下部分が傾斜面状をなす矩形の受皿状の主部の周りに後外周フランジ９２と後内周フランジ９３とを備えたものになっているとともに、後ケース７７の上部には、導出口部とキャップでなる浄水導出手段９４が設けられてその内部の貯水室９５内に連通するようになっている。
後ケース７７の貯水室９５内には、逆洗浄のためのゴムや樹脂製の加圧用変位部材８５が一体貼着状に設けられることがあり、また、前記と同様の駆動手段を設けて作動盤８６を介して加圧用変位部材８５を進退駆動させるようにすることがある。
【００３１】  尚、前・後ケース７６，７７の各面には、加圧用変位部材８５と前ケース７６間の正負圧をなくし加圧用変位部材８５の進退運動を円滑化させるためのエアー給排管９６を設けてある。特に加圧用変位部材８５が図１４の右向きに進出する際には給水室８３内が正圧化して未濾過水が作動盤８６とねじ軸８７間を通じて漏れ出すおそれがあるが、その際エアー給排管９６からエアーを入れて負圧をなくすことで未濾過水を漏れにくくすることができる。尚、作動盤８６とねじ軸８７のいずれか一方あるいは双方を弾性密着化する合成ゴムや樹脂などのやや軟質系部材にしておくと前記漏れを防止することができる。作動盤８６は加圧用変位部材８５と一体化することができる。また、前・後ケース７６，７７は、アイボルト・ナット組具のような工具なしで手回し操作できる締付具により重合密閉と分解が可能とされる。
【００３２】  そして、前・後内周フランジ７９，９３は全周に亘って相対向状をなしその間を利用して活性炭フィルター（ＭＦ）・限外濾過膜フィルター（ＵＦ）の重合面状体とした全量濾過方式の濾過機能材９８が挟み込まれて前後を密閉状に仕切るようにセットされるようになっている。濾過機能材９８が浄水器本体７５内に仕切り状にセットされることにより浄水器本体７５内の一方側が給水室８３にまた他方側が貯水室９５となるように構成されている。尚、自立用の突片や肩掛けバンドなどは必要に応じて備えるものとする。
【００３３】  目的地の水のある場所に着き給水手段８２を開くことにより給水室８３内に適量の未濾過水を入れることができる。そのあと回転操作ハンドル８８を右回り（Ｒ方向）に回すことによりねじ軸８７が回転され、それに応じて小さいピッチで螺合する作動盤８６が矢印方向に僅かずつ押し出されることにより押し出される加圧用変位部材８５を介して未濾過水に圧力が付与され、それにより濾過機能材９８による濾過によって貯水室９５内に濾過済水が溜められてゆき、それらを浄水導出手段９４により利用することができるものである。加圧用変位部材８５がゴムなどの弾性質である場合、未濾過水に緩徐に圧力を掛けることができ、また回転操作ハンドル８８の操作もその弾性力の作用により操作しやすいものになる。回転操作ハンドル８８を逆Ｒ方向へ回転させることで元の実線状態（復帰状態）に戻される。
【００３４】  尚、後ケース７７は、図７のような薄膜拡縮変形構造のものにしてもよい。
また、加圧用変位部材８５は、蛇腹方式あるいはゴム拡縮構造により形成されていたが、図１５に示すように板状で外周のパッキンにより進退運動できるタイプにしてもよい。
さらに、ねじ軸８７は、図１６のように前ケース７６に備えた固定ねじ盤９９に対して回転操作ノブ８８とともに進退可能にし、進退するねじ軸８７に相対回転する進退軸１００とともに加圧用変位部材８５が前後に拡縮運動するように構成してもよい。
【符号の説明】
【００３５】  １，４７，６３，７５…浄水器本体  ９，５６，８２…給水手段  １０，８３…給水室  １１，５９，６４，８５…加圧用変位部材  １９，５８，６７，Ｂ…駆動手段  ２７，５７，７１，９４…浄水導出手段  ２８，７２，９５…貯水室  ３４，５１，７０，９８…濾過機能材。
【図１】
2015100792.tif 000003
【図２】
2015100792.tif 000004
【図３】
2015100792.tif 000005
【図４】
2015100792.tif 000006
【図５】
2015100792.tif 000007
【図６】
2015100792.tif 000008
【図７】
2015100792.tif 000009
【図８】
2015100792.tif 000010
【図９】
2015100792.tif 000011
【図１０】
2015100792.tif 000012
【図１１】
2015100792.tif 000013
【図１２】
2015100792.tif 000014
【図１３】
2015100792.tif 000015
【図１４】
2015100792.tif 000016
【図１５】
2015100792.tif 000017
【図１６】
2015100792.tif 000018
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
矩形受皿状をし外周にフランジを備えた前ケースと後ケースとが外周フランジ間にパッキンを介した状態で分割・合体可能な合わせ型とされて浄水器本体が形成されるとともにこれら前・後両ケース間には前ケース側に給水室が後ケース側に貯水室が形成されるように浄水器本体内を仕切るとともに両ケースとともに分解・合体が可能な濾過機能材が挟み込まれ、前ケース側には、未濾過水を給水室内に供給可能な給水手段と、給水室内に入れられる未濾過水に圧力を付与して未濾過水を濾過機能材を通じて貯水室へと導くようにする圧力付与手段が設けられ、後ケース側には、貯水室に導かれた濾過済水を貯水室外において利用可能とするための浄水導出手段が設けられ、圧力付与手段は、給水室内の未濾過水に圧力を付与する方向に変位可能に設けられた加圧用変位部材と、加圧用変位部材に変位を付与する手動操作手段である駆動手段とを有する浄水器であって、前記駆動手段は、前ケースの外部に操作可能に設けられた回転操作ハンドルと、ドーナツ形でその内周にメネジを有して加圧用変位部材の孔に装着された作動盤と、回転操作ハンドルの給水室側において連動回転可能に取り付けられるとともに作動盤のメネジにねじ込まれているオスネジ体であるねじ軸とを備えていることを特徴とする浄水器。
【請求項２】
矩形受皿状をし外周にフランジを備えた前ケースと後ケースとが外周フランジ間にパッキンを介した状態で分割・合体可能な合わせ型とされて浄水器本体が形成されるとともにこれら前・後両ケース間には前ケース側に給水室が後ケース側に貯水室が形成されるように浄水器本体内を仕切るとともに両ケースとともに分解・合体が可能な濾過機能材が挟み込まれ、前ケース側には、未濾過水を給水室内に供給可能な給水手段と、給水室内に入れられる未濾過水に圧力を付与して未濾過水を濾過機能材を通じて貯水室へと導くようにする圧力付与手段が設けられ、後ケース側には、貯水室に導かれた濾過済水を貯水室外において利用可能とするための浄水導出手段が設けられ、圧力付与手段は、給水室内の未濾過水に圧力を付与する方向に変位可能に設けられた加圧用変位部材と、加圧用変位部材に変位を付与する手動操作手段を含む駆動手段とを有する浄水器であって、前記後ケースには、駆動手段により内側に変形可能な加圧用変位部材を有する圧力付与手段が逆洗浄用として設けられていることを特徴とする浄水器。
【請求項３】
矩形受皿状をし外周にフランジを備えた前ケースと後ケースとが外周フランジ間にパッキンを介した状態で分割・合体可能な合わせ型とされて浄水器本体が形成されるとともにこれら前・後両ケース間には前ケース側に給水室が後ケース側に貯水室が形成されるように浄水器本体内を仕切るとともに両ケースとともに分解・合体が可能な濾過機能材が挟み込まれ、前ケース側には、未濾過水を給水室内に供給可能な給水手段と、給水室内に入れられる未濾過水に圧力を付与して未濾過水を濾過機能材を通じて貯水室へと導くようにする圧力付与手段が設けられ、後ケース側には、貯水室に導かれた濾過済水を貯水室外において利用可能とするための浄水導出手段が設けられ、圧力付与手段は、給水室内の未濾過水に圧力を付与する方向に変位可能に設けられた加圧用変位部材と、加圧用変位部材に変位を付与する手動操作手段を含む駆動手段とを有する浄水器であって、前記両ケースのうち少なくとも後ケースは、薄膜樹脂や合成ゴム製などにより蛇腹式や弾性拡縮式などで拡縮変形自在に形成されていることを特徴とする浄水器。
【手続補正２】
【補正対象書類名】明細書
【補正対象項目名】０００６
【補正方法】変更
【補正の内容】
【０００６】上記目的を達成するため、請求項１に記載の発明は、矩形受皿状をし外周にフランジを備えた前ケースと後ケースとが外周フランジ間にパッキンを介した状態で分割・合体可能な合わせ型とされて浄水器本体が形成されるとともにこれら前・後両ケース間には前ケース側に給水室が後ケース側に貯水室が形成されるように浄水器本体内を仕切るとともに両ケースとともに分解・合体が可能な濾過機能材が挟み込まれ、前ケース側には、未濾過水を給水室内に供給可能な給水手段と、給水室内に入れられる未濾過水に圧力を付与して未濾過水を濾過機能材を通じて貯水室へと導くようにする圧力付与手段が設けられ、後ケース側には、貯水室に導かれた濾過済水を貯水室外において利用可能とするための浄水導出手段が設けられ、圧力付与手段は、給水室内の未濾過水に圧力を付与する方向に変位可能に設けられた加圧用変位部材と、加圧用変位部材に変位を付与する手動操作手段である駆動手段とを有する浄水器であって、前記駆動手段は、前ケースの外部に操作可能に設けられた回転操作ハンドルと、ドーナツ形でその内周にメネジを有して加圧用変位部材の孔に装着された作動盤と、回転操作ハンドルの給水室側において連動回転可能に取り付けられるとともに作動盤のメネジにねじ込まれているオスネジ体であるねじ軸とを備えていることを特徴とする。
請求項２に記載の発明は、矩形受皿状をし外周にフランジを備えた前ケースと後ケースとが外周フランジ間にパッキンを介した状態で分割・合体可能な合わせ型とされて浄水器本体が形成されるとともにこれら前・後両ケース間には前ケース側に給水室が後ケース側に貯水室が形成されるように浄水器本体内を仕切るとともに両ケースとともに分解・合体が可能な濾過機能材が挟み込まれ、前ケース側には、未濾過水を給水室内に供給可能な給水手段と、給水室内に入れられる未濾過水に圧力を付与して未濾過水を濾過機能材を通じて貯水室へと導くようにする圧力付与手段が設けられ、後ケース側には、貯水室に導かれた濾過済水を貯水室外において利用可能とするための浄水導出手段が設けられ、圧力付与手段は、給水室内の未濾過水に圧力を付与する方向に変位可能に設けられた加圧用変位部材と、加圧用変位部材に変位を付与する手動操作手段を含む駆動手段とを有する浄水器であって、前記後ケースには、駆動手段により内側に変形可能な加圧用変位部材を有する圧力付与手段が逆洗浄用として設けられていることを特徴とする。
請求項３に記載の発明は、矩形受皿状をし外周にフランジを備えた前ケースと後ケースとが外周フランジ間にパッキンを介した状態で分割・合体可能な合わせ型とされて浄水器本体が形成されるとともにこれら前・後両ケース間には前ケース側に給水室が後ケース側に貯水室が形成されるように浄水器本体内を仕切るとともに両ケースとともに分解・合体が可能な濾過機能材が挟み込まれ、前ケース側には、未濾過水を給水室内に供給可能な給水手段と、給水室内に入れられる未濾過水に圧力を付与して未濾過水を濾過機能材を通じて貯水室へと導くようにする圧力付与手段が設けられ、後ケース側には、貯水室に導かれた濾過済水を貯水室外において利用可能とするための浄水導出手段が設けられ、圧力付与手段は、給水室内の未濾過水に圧力を付与する方向に変位可能に設けられた加圧用変位部材と、加圧用変位部材に変位を付与する手動操作手段を含む駆動手段とを有する浄水器であって、前記両ケースのうち少なくとも後ケースは、薄膜樹脂や合成ゴム製などにより蛇腹式や弾性拡縮式などで拡縮変形自在に形成されていることを特徴とする。
【手続補正３】
【補正対象書類名】明細書
【補正対象項目名】０００７
【補正方法】変更
【補正の内容】
【０００７】上述したように請求項１に記載の発明は、矩形受皿状をし外周にフランジを備えた前ケースと後ケースとが外周フランジ間にパッキンを介した状態で分割・合体可能な合わせ型とされて浄水器本体が形成されるとともにこれら前・後両ケース間には前ケース側に給水室が後ケース側に貯水室が形成されるように浄水器本体内を仕切るとともに両ケースとともに分解・合体が可能な濾過機能材が挟み込まれ、前ケース側には、未濾過水を給水室内に供給可能な給水手段と、給水室内に入れられる未濾過水に圧力を付与して未濾過水を濾過機能材を通じて貯水室へと導くようにする圧力付与手段が設けられ、後ケース側には、貯水室に導かれた濾過済水を貯水室外において利用可能とするための浄水導出手段が設けられ、圧力付与手段は、給水室内の未濾過水に圧力を付与する方向に変位可能に設けられた加圧用変位部材と、加圧用変位部材に変位を付与する手動操作手段である駆動手段とを有する浄水器であって、前記駆動手段は、前ケースの外部に操作可能に設けられた回転操作ハンドルと、ドーナツ形でその内周にメネジを有して加圧用変位部材の孔に装着された作動盤と、回転操作ハンドルの給水室側において連動回転可能に取り付けられるとともに作動盤のメネジにねじ込まれているオスネジ体であるねじ軸とを備えていることを特徴とするので、非常時や屋外訓練時などに携行するにも各機能部が一つにまとまったコンパクトなものとされて携行しやすくしかも浄水作業が簡単容易に行えるようになるとともに、分解により内部清掃や部品の交換などのメンテナンスが簡単かつ徹底して行えることになりより高度の衛生状態を確保することができ、特に、未濾過水への圧力付与が小さい操作力で強力に得られ、子供や女子でも容易に濾過済水を得ることができる浄水器を提供することができる。